(57)【要約】 【課題】洗面ボウルの開口部が内側に露出せず、洗面ボウルへの取付け作業性を向上させるオーバーフロー管の口金部取付構造を提供することを目的とする。【解決手段】  洗面ボウル１の開口部５に取付けるオーバーフロー管６の口金部２１は口金部本体２２と口金先端部２３からなり、口金先端部２３は一端部にフランジ２４を持つ筒状に形成される。口金先端部２３が弾力性を有するスリーブ材２５を拡径して開口部５の内縁５ａに押付けるように洗面ボウル１の外側面１ｂから前記スリーブ材２５に嵌入される。スリーブ材２５は両端部に洗面ボウル１の外側面１ｂと内側面１ｃを挟持するフランジ２５ａ、２５ｂを備えてテーパー筒状に形成され、外側面１ｂ側のフランジ２５ａにおけるスリーブ材２５の外径Ｓが前記開口部５の直径Ｄと同じ大きさに形成される。口金先端部２３はフランジ２４を介してネジ等の固着具２６により洗面ボウル１に固着される。【選択図】  図４
2007056598.tif 000002
【特許請求の範囲】
【請求項１】
洗面ボウルの開口部に取付けるオーバーフロー管の口金部取付構造であって、
前記口金部は口金部本体と口金先端部からなり、前記口金先端部は一端部にフランジを持つ筒状に形成され、
前記口金先端部の他端部が弾力性を有するスリーブ材を拡径して前記開口部の内縁に押付けるように前記洗面ボウルの外側から前記スリーブ材に嵌入され、前記スリーブ材は両端部に前記洗面ボウルの内側面と外側面を挟持するフランジを備えてテーパー筒状に形成され、外側面側のフランジにおける前記スリーブ材の外径が前記開口部の直径と同じ大きさに形成されることを特徴とするオーバーフロー管の口金部取付構造。
【請求項２】
請求項１に記載のオーバーフロー管の口金部取付構造であって、
前記スリーブ材の両端部のフランジ間の内法長さは前記洗面ボウルの側面厚さより大きく（隙間を保持して）形成され、前記口金先端部の他端部を前記スリーブ材に嵌入する際に、前記隙間と同じ厚さのリングが複数枚分割されて前記洗面ボウルの外側面と前記外側面側のフランジとの前記隙間に挿入されることを特徴とするオーバーフロー管の口金部取付構造。
【発明の詳細な説明】
【技術分野】
【０００１】
本発明は、洗面ボウルのオーバーフロー管の口金部取付構造に関し、詳しくは、洗面ボウルの外側からの作業だけで取付けることができるオーバーフロー管の口金部取付構造に関する。
【背景技術】
【０００２】
従来、洗面器は、図７、図８に示すように、洗面ボウル１の排水口２に排水器具３が取付けられ、排水器具３は排水トラップ４を介して下水等へ接続されている。そして、洗面ボウル１のケレップ１ａから所定の高さ位置に開口部５が形成され、この開口部５から蛇腹のオーバーフロー管６を介して排水器具３に連結される。
【０００３】
ケレップ１ａを閉塞した状態で水栓７から水を吐出し続けた場合には、洗面ボウル１内の水位は次第に増加し、水は開口部５からオーバーフロー管６を経由して排水器具３に流れて下水等へ排出される。
【０００４】
オーバーフロー管６の口金部６ａには一対の取付孔８ａを備える取付用フランジ８が設けられ、この口金部６ａはパッキン１５を挟み、取付孔８ａを介して洗面ボウル１の外側面１ｂに固着される。取付用フランジ８及びパッキン１５の中央部には開口部５と同じ形状の開口８ｄ、１５ａが設けられる。
【０００５】
ところが、開口部５が洗面ボウル１の内側面１ｃに露出した状態なので、見栄えが悪く商品価値が劣るという問題があった。この問題を解決するために、開口部５にシリコンを塗布する方法や、特許文献１に開示された構成が知られている。
【０００６】
図９に示すように、特許文献１のオーバーフロー管の口金部取付構造は、雄螺子部１０ａを備えた開口部フランジ１０を洗面ボウル１の内側面１ｃから挿入し、この雄螺子部１０ａと洗面ボウル１のオーバーフロー管６の口金部９に設けた雌螺子部９ａとが螺着される。この構成であれば、洗面ボウル１の開口部５が開口部フランジ１０で覆われるので、洗面ボウル１の内側面１ｃには開口部５そのものが露出しないので、見栄えが良くなり商品価値を高めることができる。
【特許文献１】特開２００１−２１４４８９号公報
【発明の開示】
【発明が解決しようとする課題】
【０００７】
しかしながら、上記開口部５にシリコンを塗布する方法や、雄螺子部１０ａを備えた開口部フランジ１０を洗面ボウル１の内側面１ｃから挿通し、口金部９の雌螺子部９ａと螺着する構成では、洗面ボウル１の内側と外側の両側からの作業が必要であるため、手間が掛かり作業工数が増加するとともに場合により二人作業が必要になるという問題があった。
【０００８】
そこで、本発明は上記問題点を解決して、洗面ボウルの開口部が内側に露出せず、洗面ボウルへの取付け作業性を向上させるオーバーフロー管の口金部取付構造を提供することを目的とする。
【課題を解決するための手段】
【０００９】
請求項１の発明は、洗面ボウルの開口部に取付けるオーバーフロー管の口金部取付構造であって、前記口金部は口金部本体と口金先端部からなり、前記口金先端部は一端部にフランジを持つ筒状に形成され、前記口金先端部の他端部が弾力性を有するスリーブ材を拡径して前記開口部の内縁に押付けるように前記洗面ボウルの外側から前記スリーブ材に嵌入され、前記スリーブ材は両端部に前記洗面ボウルの内側面と外側面を挟持するフランジを備えてテーパー筒状に形成され、外側面側のフランジにおける前記スリーブ材の外径が前記開口部の直径と同じ大きさに形成されることを特徴としている。
【００１０】
請求項２の発明は、請求項１に記載のオーバーフロー管の口金部取付構造であって、前記スリーブ材の両端部のフランジ間の内法長さは前記洗面ボウルの側面厚さより大きく（隙間を保持して）形成され、前記口金先端部の他端部を前記スリーブ材に嵌入する際に、前記隙間と同じ厚さのリングが複数枚分割されて前記洗面ボウルの外側面と前記外側面側のフランジとの前記隙間に挿入されることを特徴としている。
【発明の効果】
【００１１】
請求項１記載の発明によれば、一端部にフランジを持つ筒状の前記口金先端部の他端部が弾力性を有するスリーブ材を拡径して前記開口部の内縁に押付けるように前記洗面ボウルの外側から前記スリーブ材に嵌入されるので、前記口金部は弾力性を有するスリーブ材を介して前記開口部に水密的に密着することができる。また、取付けが洗面ボウルの外側からの一人作業で実施できるので、洗面ボウルへの取付け作業性が向上する。
【００１２】
さらに、前記スリーブ材は両端部に前記洗面ボウルの内側面と外側面を挟持するフランジを備えてテーパー筒状に形成され、外側面側のフランジにおける前記スリーブ材の外径が前記開口部の直径と同じ大きさに形成されるので、前記スリーブ材を前記開口部に予め所定位置に容易に挿入しておくことができるので取付け作業性が向上する。
【００１３】
そして、前記スリーブ材は外側面側のフランジを基準にして弾力的に拡径できるので容易に前記開口部に装着することができる。また、前記スリーブ材の内側面フランジによって洗面ボウルの開口部が露出することがないので見栄えが良くなり品質が向上する。
【００１４】
請求項２記載の発明によれば、前記スリーブ材の両端部のフランジ間の内法長さは前記洗面ボウルの側面厚さより大きく（隙間を保持して）形成され、前記口金先端部の他端部を前記スリーブ材に嵌入する際に、前記隙間と同じ厚さのリングが複数枚分割されて前記洗面ボウルの外側面と前記外側面側のフランジとの前記隙間に挿入されるので、前記口金部を前記スリーブ材に嵌入する際にリングを挿入しながら作業することにより前記スリーブ材の内側面側のフランジを前記洗面ボウルの内側面にさらに確実に押付けて密着することができる。このため、さらに見栄えが良くなり品質が向上する。
【発明を実施するための最良の形態】
【００１５】
＜本発明の第１の実施形態＞
以下に、本発明の第１の実施形態を図１〜図４に基づいて説明する。なお、図７、図８、図９に示したオーバーフロー管の口金部取付構造と同等部分については、適宜に同一符号を付して説明する。
【００１６】
＜オーバーフロー管の口金部取付構造の構成＞  
図１、図２、図３、図４に示すように、洗面ボウル１の排水口２に排水器具３が取付けられ、排水器具３は排水トラップ４を介して下水等に接続している。
そして、洗面ボウル１のケレップ１ａから所定の高さ位置に開口部５が形成され、開口部５は蛇腹のオーバーフロー管６を介して排水器具３内へ連結される。
【００１７】
ケレップ１ａを閉塞した状態で水栓７から水を吐出し続けた場合には、洗面ボウル１内の水位は次第に増加し、開口部５からオーバーフロー管６を通じて排水器具３内へ流れて下水等へ排出される。
【００１８】
ここで、洗面ボウル１の開口部５に取付けるオーバーフロー管６の口金部２１は口金部本体２２と口金先端部２３とからなり、口金先端部２３は一端部２３ａにフランジ２４を備えた筒状に形成される。そして、スリーブ材２５を開口部５の所定位置に予め挿入した後に、口金先端部２３の他端部２３ｂが弾力性を有するスリーブ材２５を拡径して開口部５の内縁５ａに押付けるように洗面ボウル１の外側（面）１ｂからスリーブ材２５に嵌入される。口金先端部２３はフランジ２４を介してネジ等の固着具２６により洗面ボウル１に固着される。
【００１９】
スリーブ材２５は両端部に洗面ボウル１の外側（面）１ｂと内側（面）１ｃを挟持するフランジ２５ａ、２５ｂを備えてテーパー筒状に形成され、外側面１ｂ側のフランジ２５ａにおけるスリーブ材２５の外径Ｓが開口部５の直径Ｄと同じ大きさに形成される。（Ｓ＝Ｄ）
【００２０】
フランジ２５ｂは内側（面）１ｃに密着し、且つ開口部５を覆う凸状断面形状で形成される。フランジ２５ａ、２５ｂの内法長さＬ１、開口部５の内縁５ａに沿った部分の厚みＬ、スリーブ材２５の厚みＧ１、口金先端部２３の外形Ｄ１、厚みＧ２とすると、Ｄ＝Ｄ１＋２ｘＧ１、Ｌ＝Ｌ１の関係に形成される。
【００２１】
なお、スリーブ材２５は弾力性を有する材料なので、厚みＧ１はスリーブ材２５を拡径した状態では自然状態の厚みよりも薄くなることを考慮する必要がある。より詳しくは、スリーブ材２５の厚みは、フランジ２５ａ側は拡径しないので自然状態の厚みはＧ１であり、フランジ２５ｂ側はスリーブ材２５が拡径した状態でＧ１となるように自然状態の厚みはＧ１より少し厚目に設定される。
【００２２】
口金先端部２３の長さＬ２はスリーブ材２５に嵌入時に、口金先端部２３の他端部２３ｂが洗面ボウル１の内側（面）１ｃから若干突出し、フランジ２５ｂより突出しない位置に嵌入できるように設定される。口金先端部２３の他端部２３ｂを洗面ボウル１の内側（面）１ｃから若干突出す位置に設定することで、上記、フランジ２５ｂの凸状断面形状を確実に内側（面）１ｃに密着し、且つ開口部５を覆うことができるように保持することができる。
【００２３】
洗面ボウル１の外側面１ｂにはフランジ２５ａを収める矩形断面の窪み２７が設けられるので、この窪み２７によりフランジ２５ａの外周域２５ｃも洗面ボウル１に密着することができて、より広い接触面積が得られるためスリーブ材２５による水密性をさらに高めることができる。
【００２４】
口金先端部２３は錆難く腐食し難い、例えばステンレス材にて形成される。スリーブ材２５は弾力性を有し、錆難く腐食し難い材料として、例えば、ゴム等が使用される。
【００２５】
＜オーバーフロー管の口金部取付構造の作用＞
上記のように、口金先端部２３が弾力性を有するスリーブ材２５を拡径して開口部５の内縁５ａに押付けるように洗面ボウル１の外側面１ｂからスリーブ材２５に嵌入される。また、スリーブ材２５は両端部に洗面ボウル１の外側面１ｂと内側面１ｃを挟持するフランジ２５ａ、２５ｂを備えている。
【００２６】
このため、洗面ボウルの外側からの作業だけでオーバーフロー管の口金部を取付けることができるので一人作業が可能になり作業工数を減らすことができる。フランジ２５ｂによって洗面ボウル１の開口部５が洗面ボウル１の内側に露出しないので、見た目が向上するので商品価値が上がる。
【００２７】
＜本発明の第２の実施形態＞
以下に、本発明の第２の実施形態を図５（ａ）、（ｂ）、図６に基づいて説明する。図５（ａ）、（ｂ）に示すように、前記スリーブ材２５の両端部のフランジ２５ａ、２５ｂ間の内法長さＴは前記洗面ボウル１の側面厚さＫより大きく隙間Ｐを保持して形成される。（Ｐ＝Ｔ−Ｋである。）
【００２８】
口金先端部２３をスリーブ材２５に嵌入する際に、隙間Ｐと同じ厚さＨのリング３１が二分割されて洗面ボウル１の外側面１ｂと外側面側のフランジ２５ａとの隙間Ｐ１に挿入される。
【００２９】
ここで、隙間Ｐはリング３を挿入する時点ではフランジ２５ａ側の隙間Ｐ１とフランジ２５ｂ側の隙間Ｐ２に別れて存在（Ｐ＝Ｐ１＋Ｐ２）している。
そして、スリーブ材２５が口金先端部２３によって開口部５の内縁５ａに強く押付けられていない状態でリング３を挿入する。スリーブ材２５はスライドして隙間Ｐ１は広がり隙間Ｐとなる（Ｐ＝Ｈ）と同時に、リング３の挿入によりスリーブ材２５の軸方向の圧力が負荷されるので、図６に示すように、フランジ２５ｂを洗面ボウル１の内側面１ｃに確実に押付けて密着させることができる。
【００３０】
このため、フランジ２５ｂと洗面ボウル１の内側面１ｃとの間に隙間が発生しないので見栄えが良くなり品質が向上する。そして、口金先端部２３はフランジ２４を介してネジ等の固着具２６により洗面ボウル１に固着される。
【００３１】
なお、リング３１の外側面にはフランジ２５ａを収める矩形断面形状の窪み３２が設けられているので、フランジ２５ａの外周域２５ｃにおいてもリング３１に密着することができるので、より広い接触面積が得られてスリーブ材２５による水密性をさらに高めることができる。
【００３２】
以上、本発明の実施形態を図面に基づいて説明したが、上記の実施例はいずれも本発明の一例を示したものであり、本発明はこれらに限定されるべきでないということは言うまでもない。
【００３３】
たとえば、口金先端部２３を若干テーパー状に形成するとさらにスムーズに挿入できるので作業性が向上する。このとき、スリーブ材２５の厚みＧ１は口金先端部２３のテーパー形状に合わせて調整される。
【図面の簡単な説明】
【００３４】
【図１】本発明の第１の実施形態における、洗面ボウルの開口部に取付けるオーバーフロー管の口金部取付構造を示す一部透視側面図である。
【図２】本発明の第１の実施形態における、口金部取付構造の分解断面図である。
【図３】本発明の第１の実施形態における、口金先端部２３がスリーブ材２５を拡径しながら嵌入し始める状態を示す断面図である。
【図４】本発明の第１の実施形態における、口金先端部２３がスリーブ材２５を拡径して嵌入された状態を示す断面図である。
【図５】本発明の第２の実施形態における、（ａ）は、口金先端部２３をスリーブ材２５に嵌入する際に、リング３１が洗面ボウル１の外側面１ｂと外側面側のフランジ２５ａとの隙間Ｐ１に挿入される状態を示す断面図、（ｂ）は図５（ａ）のＡ−Ａ矢視図で、挿入されたリング３１の側面図である。
【図６】本発明の第２の実施形態における、リング３１が挿入されるとともに口金先端部２３がスリーブ材２５を拡径して嵌入された状態を示す断面図である。
【図７】従来例における、洗面ボウルの開口部に取付けるオーバーフロー管の口金部取付構造を示す側面図である。
【図８】図７の“Ｂ”の一部透視詳細側面図である。
【図９】他の従来例における、洗面ボウルの開口部に取付けるオーバーフロー管の口金部取付構造を示す側面断面図である。
【符号の説明】
【００３５】
１  洗面ボウル
１ｂ  外側（面）
１ｃ  内側（面）
５  開口部
５ａ  内縁
６  オーバーフロー管
２１  口金部
２２  口金部本体
２３  口金先端部
２４  フランジ
２５  スリーブ材
２５ａ  フランジ
２５ｂ  フランジ
２６  固着具
Ｓ  外径
Ｄ  直径
【図１】
2007056598.tif 000003
【図２】
2007056598.tif 000004
【図３】
2007056598.tif 000005
【図４】
2007056598.tif 000006
【図５】
2007056598.tif 000007
【図６】
2007056598.tif 000008
【図７】
2007056598.tif 000009
【図８】
2007056598.tif 000010
【図９】
2007056598.tif 000011